(57)【要約】【課題】反射型液晶装置の画面の明るさを改善する。【解決手段】基板上に金属薄膜からなる反射層が形成されており、該反射層の表面にはカラーフィルターが形成されていて、該カラーフィルターは互いに間隙を保って離間して形成されており、前記カラーフィルター相互の間隙の少なくとも一部に前記反射層が形成されている。反射層は基板表面全面に連続して形成したものであり、カラーフィルターは反射層表面に接合層を用いることなく直接形成したものとする。【選択図】図２
2007133423.tif 000002
【特許請求の範囲】
【請求項１】
液晶を挟持する一対の基板のうち一方の基板の液晶側に反射層が形成されてなる液晶装置において、
複数の画素と、画素毎に形成された複数のカラーフィルターと、を更に備え、
前記複数のカラーフィルターは互いに間隙を保って形成されてなり、
前記間隙に、遮光層が形成される部分と、前記反射層が前記カラーフィルターから露出する部分とを備え、
前記一方の基板の下側には光源が配置されており、
前記反射層は、前記光源からの光を透過させる開口を前記画素毎に具備していることを特徴とする液晶装置。
【請求項２】
前記カラーフィルターが金属膜からなる前記反射層上に形成されてなることを特徴とする請求項１に記載の液晶装置。
【請求項３】
前記遮光層が前記反射層上に形成されてなることを特徴とする請求項１又は２に記載の液晶装置。
【請求項４】
前記カラーフィルター上、及び前記遮光層上に保護層が設けられてなることを特徴とする請求項１乃至３のいずれかに記載の液晶装置。
【請求項５】
前記保護層上に透明電極が配置されてなることを特徴とする請求項４に記載の液晶装置。
【請求項６】
前記遮光層が一方向にストライプ状に形成されていることを特徴とする請求項１乃至５のいずれかに記載の液晶装置。
【請求項７】
前記反射層の液晶層側の面が凹凸面であることを特徴とする請求項１乃至６のいずれかに記載の液晶装置。
【請求項８】
前記開口が、前記画素毎に複数づつ設けられていることを特徴とする液晶装置。
【請求項９】
請求項１乃至８のいずれかに記載の液晶装置を備えた電子機器。
【発明の詳細な説明】
【技術分野】
【０００１】
この発明は反射型液晶装置ないしは半透過反射型液晶装置に関するものであり、さらに詳しくは、反射層内在型の液晶装置の反射層に関するものである。
【背景技術】
【０００２】
近年、ノートパソコン、携帯電話機、電子手帳等の電子機器において、情報を表示する手段として液晶表示装置が広く使用されている。
【０００３】
液晶表示装置は互いに対向配置された一対の基板の間に液晶物質を挟持した非発光型の表示装置である。液晶の配向状態に応じて液晶を通過する光を変調させて表示を行うものである。このような液晶表示装置の表示方法としては、反射型のものと透過型のものが知られている。
【０００４】
このうち、図１６に反射層を基板の液晶層側に配置した、反射層内在型の反射型液晶装置を示す。基板１０１と対向する基板１０２との対向面にそれぞれインジウム錫酸化物（ Indium Tin Oxide ：ＩＴＯ) 等からなる透明な電極１０３，１０４、及び、基板１０１側の透明な電極１０３と基板１０１との間に光反射性の金属薄膜からなる反射層１０６が配置されている。基板１０２側から入射した外光４２０は、液晶層１０５を介して基板１０１の液晶側の反射層１０６上で反射され、液晶分子の配向状態により液晶層を透過する光を変調させることにより、画像表示している。
【０００５】
これに対して図１７に示す透過型の表示方式は、基板１０１と対向する基板１０２との対向面にそれぞれ、液晶層駆動用のＩＴＯ等の透明な電極１０３，１０４を配置して、液晶層１０５における液晶分子配向状態を制御することで、基板１０１の外側に設けた光源（バックライト）４００から照射された光を変調して、画像表示を行っている。
【０００６】
上記の反射型の液晶表示装置は、透過型のようにバックライト等の光源を設ける必要はなく、自然光や蛍光灯等の周囲の外光により表示を行うことができるので、携帯型電子機器等の表示装置として広く用いられている。
【０００７】
図１８及び図１９にカラー表示の場合の反射型液晶装置を示す。図１８には平面図を、図１９には断面図を示す。反射層１０６の表面上にカラーフィルター１１１が配置されている。カラーフィルター１１１は、青（Ｂ）、緑（Ｇ）、赤（Ｒ）用のものが、それぞれ列毎に連続するようなストライプ状に形成され、かつ、各色が交互に配置されている。
【０００８】
断面構造をみると、図１９に示すように、ガラス等の基板１０１の表面にアルミニウム等の金属薄膜から成る反射層１０６が設けられ、反射層１０６の表面に密着層１０８を介して、各青（Ｂ）、緑（Ｇ）、赤（Ｒ）用カラーフィルター１１１が、ストライプ状に延びる方向で、互いに接触するように設けられており、カラーフィルター１１１の表面には透明なアクリル樹脂から成る保護層１０９を介して透明な電極１０３が設けられている。図中１１７は電極１０３につながる接続端子である。
【発明の開示】
【発明が解決しようとする課題】
【０００９】
反射型液晶表示装置は特別な光源を持たずに自然光などの外光を利用しているが、外光が透明なガラス基板を通過する毎に光が吸収され、表示画面の明るさが低下するといった問題がある。特にカラー方式の反射型液晶表示装置では、通過する光が弱くなるとコントラストも弱くなり、鮮明なカラー表示が得られないという難点がある。
【００１０】
本発明は反射型液晶表示装置の使用目的に応じた明るさの表示画面とし、コントラストのある鮮明なカラー表示の画面を得ることを目的とする。また、コントラストのある鮮明なカラー表示画面を備えた電子機器を提供することを目的とする。
【課題を解決するための手段】
【００１１】
上記課題を解決する手段の一例としては、一対の基板間に液晶を挟持し、各基板間の対向面にはそれぞれ電極が形成されており、そのうち一方の基板の液晶に面する側には金属膜からなる反射層が形成されており、該反射層の表面にはカラーフィルターが形成されていて、該カラーフィルターは互いに間隙を保って隔離して形成されており、前記カラーフィルター相互の間隙の少なくとも一部に前記反射層が形成されていることを特徴とする液晶装置とした。
【００１２】
このような構成の液晶装置とすれば、入射した外光がカラーフィルター相互の間隙で反射してくるので画面の明るさが増し、コントラストのある鮮明なカラー表示の画面を得ることができる。
【００１３】
また、他の手段としては、一対の基板間に液晶を挟持し、各基板間の対向面にはそれぞれ電極が形成されており、そのうち一方の基板の液晶に面する側には金属薄膜からなる反射層が形成されており、該反射層の表面にはカラーフィルターが形成されていて、該カラーフィルターは互いに間隙を保って隔離して形成されており、前記カラーフィルター相互の間隙の少なくとも一部には前記反射層が形成されており、前記カラーフィルター相互の間隙の少なくとも一部には遮光層が形成されていることを特徴とする液晶装置とした。
【００１４】
このような構成の液晶装置とすれば、入射した外光が反射する割合を任意に調整できるので、適度なコントラストを有する鮮明なカラー表示の画面を得ることができるようになる。
【００１５】
また、上記液晶装置では前記反射層を液晶装置の少なくとも駆動領域（駆動表示領域）の全面に連続して形成するのが好ましい。
【００１６】
各カラーフィルターの下及び各カラーフルターの間隙で外光を反射させることができるので、画面全体を明るくすることができるようになるからである。
【００１７】
また、前記反射層はアルミニウム又はアルミニウム合金から構成されることが好ましい。アルミニウムまたはアルミニウム合金は光反射率が８５％以上と高く、しかも安価であるからである。
【００１８】
本発明の液晶装置は、液晶を挟持する一対の基板のうち一方の基板の液晶側に反射層が形成されてなる液晶装置において、複数の画素と、画素毎に形成された複数のカラーフィルターと、を更に備え、前記複数のカラーフィルターは互いに間隙を保って形成されてなり、前記間隙に、遮光層が形成される部分と、前記反射層が前記カラーフィルターから露出する部分とを備え、前記一方の基板の下側には光源が配置されており、前記反射層は、前記光源からの光を透過させる開口を前記画素毎に具備していることを特徴とする。前記遮光層は前記反射層上に形成することができる。また、前記カラーフィルター上、及び前記遮光層上に保護層を形成してもよく、前記保護層上には透明電極を配置してもよい。前記反射層の液晶層側の面が凹凸面としてもよい。前記開口は、前記画素毎に複数づつ設けてもよい。
【００１９】
このように構成することによっても、反射光と透過光を併用することによって、外光の明るさに応じて、表示画面の明るさを調整することができる。
【００２０】
さらに、本発明ではカラーフィルターが金属膜からなる前記反射層上に形成するとよく、特に反射層表面上に直接形成されていると好ましい。
【００２１】
カラーフィルターを反射層表面に直接形成することにより、密着層を形成する工程が省略できるので製造工程が簡略化できる利点も有する。
【００２２】
本発明では前記遮光層がカラーフィルターの重ね合わせ構造となっていてもよい。
【００２３】
カラーフィルターを形成する際に同時に遮光層も形成できるので、製造工程が簡略化できる利点を有する。
【００２４】
また、本発明の液晶装置は前記遮光層が駆動領域の一方向にストライプ状に形成されていてもよい。
【００２５】
このような構成とすることにより、特定の視野方向に対してコントラストの強い表示画面となる利点を有する。
【００２６】
さらに、本発明の電子機器は、前述した本発明の液晶装置を備えた電子機器とした。
【００２７】
本発明の電子機器は、適度な画面の明るさを有し、はっきりしたコントラストの鮮明なカラー表示を備えた電子機器である。
【発明を実施するための最良の形態】
【００２８】
以下本発明に係わる反射型あるいは半透過半反射型液晶装置及びこの液晶装置に使用される反射基板について詳しく説明する。
【００２９】
なお、本発明における液晶装置とは、少なくとも一対の基板間に液晶物質を挟持し、各基板間の対向面にはそれぞれ液晶を駆動するための電極を備え、さらに後述する反射層を備えたものをいう。ここで電極の種類や形状については特に制限は無く、アクティブマトリクス型あるいはパッシブマトリクス型等の液晶表示方式によって適宜好ましい電極を配置すればよい。また、アクティブマトリクス型の液晶装置では、画素制御用の素子についても特に制限はなく、３端子素子、２端子素子などのいずれを用いてもよい。３端子素子であれば、ＴＦＴ（Thin  Film  Transistor）素子、２端子素子であれば、ＴＦＤ（Thin  Film  Diode）素子が挙げられる。
【００３０】
また、本発明の液晶装置用の反射基板とは、一対の対向する基板のうち反射層を備えた１枚の基板を指し、基板表面（液晶層を挟持する側の面）に反射層、カラーフィルター及び電極を備え、必要により遮光層を備えたものである。
【００３１】
（第１の実施の形態）
図１に本発明のカラー表示式の液晶装置５０の斜視図を示す。図２には図１のＡ−Ａ'線に沿った断面図を示す。図１に示すように、反射基板１０には、基板１の上に、青（Ｂ）、緑（Ｇ）、赤（Ｒ）のいずれかの色に対応するカラーフィルターが、画素毎（ドット毎）に、複数個、マトリクス状に配置される。対向基板２０には、各画素毎（ドット毎）に対応して設けられる画素電極４、各画素に対応した電極に１つづつ接続される液晶駆動用素子２５および液晶駆動用素子２５を列あるいは行毎に接続する走査線となる配線２２（あるいは信号線でもよい。）を設ける。
【００３２】
図示は省略してあるが、反射基板、対向基板の液晶層側には、それぞれ図示しない配向膜が配設され、さらに、この一対の基板はシール材を介在させて互いに貼り合わされて液晶パネルを構成している。シール材の外の少なくとも一方の基板上には、液晶駆動用の外部回路が接続される。また、各基板の液晶層を挟持する面と反対側の面には、偏光膜、位相差膜とうの光学フィルターが適宜貼りつけられる。
【００３３】
図２に示すように、ガラス等からなる透明な基板１の液晶層側の表面上にアルミニウム等の金属膜からなる反射層６が設けられ、反射層６の直上に、反射層６と、直接、接するようにカラーフィルター１２（Ｂ），１４（Ｇ），１６（Ｒ）が配置されている。各カラーフィルター１２，１４，１６は、もう一方の対向基板２０の画素電極４に対向した位置にマトリクス状に形成されている。各カラーフィルターは、青色のカラーフィルター（図示「Ｂ」）１２、緑色のカラーフィルター（図示「Ｇ」）１４、赤色のカラーフィルター（図示「Ｒ」）１６から構成されている。各カラーフィルター１２，１４，１６は光の３原色（Ｂ，Ｇ，Ｒ）で構成されている。また、図１及び図２の態様では各カラーフィルター１２，１４，１６は間隔ｄをあけて配置されている。本実施の形態では、各カラーフィルターの間には、非画像表示領域（対向する基板に画素用電極が配置されていない部分）に対応した遮光層が配設されていない。すなわち、各画素毎の各カラーフィルターの間には、カラーフィルターから反射層６が露出している。この平面配置を示したのが図３である。図３は、対向基板２０の上側から透かして見た図である。図３では、赤色用カラーフィルターに対応する画素電極４の周囲を拡大して示している。画素電極４の両側には配線２２が平行して配置されており、そのうち、片側の配線２２は例えばＴＦＤ（薄膜ダイオード）等の液晶駆動用素子２５を介して画素電極４に接続されている。液晶駆動用素子２５は、２つのダイオードが直列接続されたＢａｃｋ−ｔｏ−Ｂａｃｋ型のダイオードである。図３で、実線で四角く囲った部分が対向基板２０側の画素電極４であり、横方向（配線２２の延在方向と交差する方向）に点線で延びているのが反射基板１０側の透明電極３である。
【００３４】
次に、図３のＢ−Ｂ'線に沿った断面図を図４に、また、Ｃ−Ｃ'線に沿った断面図を図５に示した。図４及び図５に示したとおり、赤色用のカラーフィルター１６と、それに隣接する各色のカラーフィルターは、透明電極３の延在方向にも、配線２２の延在方向にも、それぞれ所定の間隔をもって離間している。すなわち、反射層は、各画素毎のカラーフィルター間で、カラーフィルターから露出しており、カラーフィルター間の反射層６の表面上には保護膜９が直接形成されている。対向基板２０側からカラーフィルターの間隙に入射した光は、反射層６の表面で反射されるので画面全体として明るさが増す結果となる。
【００３５】
いま、１個の赤色用のカラーフィルター１６の周囲を説明したが、図１に示された全てのカラーフィルターが同じ構造に作られているのはいうまでもない。
【００３６】
なお、この実施の態様ではカラーフィルターの間に遮光層は設けていないが、後述するようにカラーフィルターの間の一部分に遮光層を設けても良い。
【００３７】
次に、このような反射基板１０の製造方法について説明する。
【００３８】
本実施の形態の反射基板１０は、例えば図６及び図７に示すようにして製造することができる。
【００３９】
まず、透明なガラスからなる基板１の表面上の、少なくとも表示領域となる部分全面にわたって、スパッタ法等を利用して反射層６となる、例えばアルミニウムの薄膜を厚さ約２００ｎｍ程度に形成する（図６（１）参照）。
【００４０】
次に、この反射層６の表面に、青色の顔料を分散させた所定のレジストを塗布して、青色のカラーフィルター形成用のレジスト膜２１２を形成する（図６（２）参照）。
【００４１】
そして、所定のマスクを用いて上記の青色のカラーフィルター層形成用のレジスト膜２１２を露光・現像・パターニングして、図６（３）に示す青色のカラーフィルター１２を得る。
【００４２】
次に、この青色のカラーフィルター１２を備えた基板１の表面に赤色の顔料を分散させた所定のレジストを塗布して、赤色のカラーフィルター形成用のレジスト膜２１６を形成する（図６（４）参照）。
【００４３】
そして、所定のマスクを用いて上記の赤色のカラーフィルター形成用のレジスト膜２１６を、露光・現像・パターニングして、図７（５）に示す赤色のカラーフィルター１６を得る。
【００４４】
さらに、この青色のカラーフィルター１２と赤色カラーフィルター１６とを備えた基板１の表面に、緑色の顔料を分散させた所定のレジストを塗布して、緑色のカラーフィルター形成用のレジスト膜２１４を形成する（図７（６）参照）。
【００４５】
そして、所定のマスクを用いて上記の緑色のカラーフィルター形成用のレジスト膜２１４を、露光・現像・パターニングして、図７（７）に示す緑色のカラーフィルター１４を得る。
【００４６】
そして最後に、各カラーフィルター１２，１４，１６上、及び、カラーフィルター間のカラーフィルターから露出している反射層６の上にアクリル系の樹脂等からなる保護層９を形成し、該保護層９の上には対向基板に設けた配線２２と交差するように、ストライプ状の透明電極３を形成する。この透明電極３の表面に図示しない配向膜を塗布し、配向処理を施して反射基板１０が完成する。
【００４７】
この反射基板１０を、もう一方の対向基板２０と画素の位置合わせをし、所定の間隔で貼り合わせ、液晶装置とする。
【００４８】
このように本実施の形態では、透明電極３の延在する方向にも、また、走査線２２の延在する方向にも、青色、赤色、緑色の各カラーフィルターを画素毎に、互いに離間して形成し、各カラーフィルターの間隙には金属膜からなる反射層が露出している構造とする。そして、少なくとも駆動表示領域を含むシールで囲まれた領域内では、反射層は基板表面に連続させて形成し、反射層の表面上には、各カラーフィルターを直接形成する。
【００４９】
本実施の形態で得られた液晶装置は明るくてコントラストに富み、鮮明な表示画面を有するものとなる。
【００５０】
（第２の実施の形態）
次に、第２の実施の形態として、前記カラーフィルター相互の間隙の少なくとも一部に、駆動領域の一方向に向けた遮光層がストライプ状に形成されている反射型液晶装置の例について説明する。第１の実施形態と異なる点は、各画素毎のカラーフィルターの間隙のうち、透明電極が延在する方向と同一の方向の間隙に遮光層２７を設けた点である。その他の構成は、第１の実施の形態と同様であるので説明を省略する。
【００５１】
第１の実施の形態では、各画素毎のカラーフィルターの全周囲で、入射光（対向基板２０の液晶層挟持面とは反対側の面から入射した外光）が、反射するので、表示画面がかえって明る過ぎる場合がある。このような場合にはカラーフィルター周囲の一部に遮光層を設けて反射光を制限し、表示画面の明るさを調節することができる。例えば図８には表示画面の一方向、すなわち、駆動表示領域の一方向にのみストライプ状に遮光層を設けた例を示す。
【００５２】
図８は、図３と同様に、対向基板２０の上方から透かして見た図で、赤色用の画素電極４の周囲を拡大して示したものである。図３と異なる点は、画素電極４の上下に紙面の左右方向（透明電極３が延在する方向と同一の方向）に伸びる遮光層２７が設けられている点である。画素電極４の左右の紙面に対して、上下の方向（配線２２が延在する方向）は図３と同様に遮光層は設けられていない。
【００５３】
このような構造にすることによって、反射光の量が半減して画面は適度な明るさとなり、紙面縦方向（遮光層が延在する方向に対して直角の方向）から見た場合に反射光を認識することになり明瞭なコントラストが付いた画面となる利点を有する。
【００５４】
図８のＥ−Ｅ'線に沿った断面構造を図９に示す。Ｅ−Ｅ'線に沿った断面は遮光層２７を横切る断面である。なお、Ｅ−Ｅ'線と直交する方向の断面は遮光層２７を横切らないので、図４と同じ断面構造となる。
【００５５】
図９において、赤色のカラーフィルター１６の両側の青色のカラーフィルター１２緑色のカラーフィルター１４との間には、それぞれ遮光層２７が設けられている。本実施の形態では遮光層２７は、赤色のカラーフィルター用のレジスト膜と青色のカラーフィルター用のレジスト膜及び緑色のカラーフィルター用のレジスト膜を重ね合わせた３層構造で構成されている。このような構造の遮光層とすれば、各色のカラーフィルターを形成する工程で同時に遮光層も同時に形成できるので、製造工程を増やすことはない。
【００５６】
次に、このような反射基板１０の製造方法について説明する。
【００５７】
本実施の形態の反射基板１０は、例えば図１０及び図１１に示すようにして製造することができる。
【００５８】
まず、第１の実施の形態と同様に、透明な基板１の表面上の少なくとも表示領域となる部分の全面にわたって、反射層６となる、例えばアルミニウムの膜を厚さ約２００ｎｍ程度に形成する（図１０（１）参照）。
【００５９】
次に、このアルミニウム薄膜の表面に、青色の顔料を分散させた所定のレジストを塗布して、青色のカラーフィルター形成用のレジスト膜２１２及び遮光層の最下層となるレジスト膜２１２を形成する（図１０（２）参照）。
【００６０】
そして、所定のマスクを用いて上記の青色のカラーフィルター層形成用のレジスト膜２１２を、露光・現像・パターニングして、図１０（３）に示す青色のカラーフィルター及び遮光層の最下層となるレジスト膜を得る。
【００６１】
次に、この青色のカラーフィルター１２と遮光層の最下層とを備えた基板１の表面に赤色の顔料を分散させた所定のレジストを塗布して、赤色のカラーフィルター及び遮光層の第２層形成用のレジスト膜２１６を形成する（図１０（４）参照）。
【００６２】
そして、所定のマスクを用いて上記の赤色のカラーフィルター形成用のレジスト膜２１６を、露光・現像・パターニングして、図１０（５）に示す赤色のカラーフィルター及び遮光層の第２層となるレジスト膜を得る。
【００６３】
さらに、この青色のカラーフィルター１２と赤色カラーフィルター１６と遮光層の第１層と第２層の積層部とを備えた基板１の表面に、緑色の顔料を分散させた所定のレジストを塗布して、緑色のカラーフィルター形成用のレジスト膜２１４を形成する（図１１（６）参照）。
【００６４】
そして、所定のマスクを用いて上記の緑色のカラーフィルター形成用のレジスト膜２１４を、露光・現像・パターニングして、図１１（７）に示す緑色のカラーフィルター１４と遮光層の第３層となるレジスト膜を得る。最下層、第２層および第３層のレジスト膜が重なった部分で遮光層２７を得る。
【００６５】
図９〜図１１において明らかなように、図９ではカラーフィルターの色形成順番は青色→緑色→赤色の順の場合を示し、図１０、図１１では、色形成順番は青色→赤色→緑色の順の場合を示している。各色のカラーフィルターはどの色から形成しても良いが、青色のカラーフィルターを形成するための青色顔料の成分中には、カラーフィルターとアルミニウム膜との接着力を強化する成分が含まれているので、カラーフィルターを形成する順番は、青色カラーフィルターを最初に形成するのが望ましい。
【００６６】
そして最後に、各カラーフィルター１２，１４，１６及び遮光層２７並びに露出している反射層６の上にアクリル系の樹脂等からなる保護層９を形成し、該保護層９の上には対向基板に設けた走査線２２と交差するように、ストライプ状の透明電極３を形成する（図１１（８）参照）。
【００６７】
この透明電極３の表面上に図示しない配向膜を塗布し、配向処理を施して反射基板１０が完成する。
【００６８】
この反射基板１０をもう一方の対向基板２０と画素の位置合わせをして所定の間隔で貼り合わせて液晶パネルとした後、液晶を駆動するための外部回路等を液晶パネルに接続する。
【００６９】
このように本実施の形態では、青色、赤色、緑色の各画素毎のカラーフィルターを、各画素毎に、互いに離間して形成し、各カラーフィルターの間隙の一方向には、金属薄膜からなる反射層がカラーフィルターから露出しており、各カラーフィルターの間隙の他の一方向には遮光層を設けた構造の反射パネルとする。そして本実施の形態においても反射層は、少なくともシール内の駆動表示領域においては、基板表面に連続して形成される。反射層の表面上には、各カラーフィルターが直接反射層に接触するように形成している。
【００７０】
このようにして製造することにより、パターニング工程が省略できるので製造工程が煩雑となることはなく、得られた液晶表示装置は適度に明るくて特定方向の視野に対してコントラストに富み、鮮明な表示画面を有するものとなる。
【００７１】
また、本実施の形態では、遮光層を設ける方向を透明電極３が延在する方向としたが、走査線２２が延在する方向と同一方向のカラーフィルターの間隙に遮光層を配設するようにしてもよい。
【００７２】
（第３の実施の形態）
次に、第３の実施の形態として、反射層にスリットを設け、本発明を半透過反射型の液晶パネルに適用した例について説明する。第１の実施の形態と異なる点は、反射層の各画素に対応する部分に、液晶装置に設けた光源の光を透過させるための開口を設けた点で、その他の点は第１の実施の形態と同様なので説明を省略する。
【００７３】
反射型液晶装置は、装置自体に特別な光源を設けずに自然光等の外光を利用して表示するものであるが、外光が少ないと表示画面が暗くなる欠点がある。そのため、補助的に外部光源を液晶装置に具備して、反射型と透過型の利点を兼ね備えた半透過型の液晶表示装置とすることができる。
【００７４】
図１２は第３の実施の形態に係わる反射パネルの断面構造を示す図である。図１２が図２の第１の実施の形態と異なる点は、反射層６に開口７を設けた点である。他の構造は第１の実施の形態あるいは第２の実施の形態と同様にしても何ら支障はない。
【００７５】
図１２において、反射層６の開口７は、各画素毎に、カラーフィルター１２，１４，１６の直下に設けてある。このように反射層６に開口７を設けることにより、反射基板１０の下側に補助の外部光源（図示省略）を配置して半透過型の液晶表示装置とすれば、表示画面の明るさを補って、液晶表示装置の使用環境をさらに広げることが可能となる。
【００７６】
このような第３の実施の形態の反射基板は、基板上に反射層となる金属膜を形成した後、所定のマスクパターンを使用して金属膜をエッチングし、所定の開口を得る。開口の大きさや開口のピッチには特に制限はなく、必要とする画面の明るさと光源の強さによって適宜選択すればよい。
【００７７】
また、開口の形状および数についても、半透過時の表示特性によって適宜設定できる。開口の形状としては、開口が閉じた四角形状でも、スリット形状でもよい。１つの画素に対して、開口を複数設けてもよい。
【００７８】
なお、第１〜第３の実施の形態では、反射層の表面は鏡面となっているが、本発明はこれに限られるものではない。反射層の液晶層側の表面を凹凸面とし、反射光を散乱させる散乱面とすることも可能である。この場合、以下の２つの方法によって散乱面を形成することができる。１番目は、反射基板１０の表面自体に凹凸面を形成し、その上に反射層を設ける。そして、基板の凹凸面を反射層表面に反映させて反射層の表面を凹凸面とする方法である。２番目は、反射基板の表面自体は鏡面とし、反射層の表面自体に凹凸を形成する方法である。
【００７９】
そして、反射層についても、アルミニウムまたはアルミニウム合金に限られず、例えば、銀あるいは銀合金を用いてもよい。銀合金としては、Ａｇ−Ｐｄ−Ｃｕ合金を用いることができる。
【００８０】
以下、本発明の液晶装置を使用した電子機器の具体例について説明する。
【００８１】
本発明の液晶装置を使用した電子機器の例を図１３〜図１５に示す。
【００８２】
図１３は携帯電話の例を示す斜視図である。符号１０００は携帯電話本体を示し、そのうち符号１００１は本発明の液晶装置を用いた液晶表示部である。
図１４は腕時計型電子機器の例を示す斜視図である。１１００は時計本体を示し、１１０１が本発明の液晶装置を用いた液晶表示部である。図１５はワープロ、パソコン等の携帯型情報処理装置の例を示す斜視図である。図１５において１２００は情報処理装置本体を示し、１２０２はキーボード等の入力部、１２０４は情報処理装置、１２０６は本発明の液晶装置を用いた液晶表示部である。
【００８３】
図１３から図１５に示すこれらの電子機器は、上記の本発明による液晶装置を備えたものなので、画面の明るさを適度に明るくすることができ、コントラストの強い鮮明なカラー表示画面を有するものである。また、液晶装置の製造方法が簡単で安価に提供できる利点を有する。
【００８４】
本発明の液晶装置によれば、表示画面を明るくすることが可能となり、コントラストの強い鮮明な表示画面が得られる。
【００８５】
また、液晶装置が用いられる用途（外光が得られる条件）に応じて光の反射量を適宜調節できるので、液晶装置の応用範囲が広がる利点を有する。
【００８６】
さらに、半透過式として使用する場合にも光の反射量を適宜調節できるので、液晶装置の応用範囲がさらに広がる利点を有する。
【図面の簡単な説明】
【００８７】
【図１】本発明の液晶表示装置を示す斜視図である。
【図２】図１のＡ−Ａ'線に沿った断面図である。
【図３】図１の液晶表示装置の一つの画素電極近傍を拡大して示した平面図である。
【図４】図３のＢ−Ｂ'線に沿った断面図である。
【図５】図３のＣ−Ｃ'線に沿った断面図である。
【図６】液晶表示装置の製造プロセスを示す工程断面図である。
【図７】図６に続く工程断面図である。
【図８】第２の実施態様に係わる液晶表示装置の一つの画素電極近傍を拡大して示した平面図である。
【図９】図８のＥ−Ｅ'線に沿った断面図である。
【図１０】液晶表示装置の他の製造プロセスを示す工程断面図である。
【図１１】図１０に続く工程断面図である。
【図１２】第３の実施態様に係わる液晶表示装置の断面構造を示す図である。
【図１３】本発明の液晶表示装置を備えた電子機器の一例を示す斜視図である。
【図１４】本発明の液晶表示装置を備えた他の電子機器の一例を示す斜視図である。
【図１５】本発明の液晶表示装置を備えたさらに他の電子機器の一例を示す斜視図である。
【図１６】反射型液晶表示装置を説明するための部分断面図である。
【図１７】透過型液晶表示装置を説明するための部分断面図である。
【図１８】従来の反射型カラー液晶表示装置の平面図である。
【図１９】図１８の液晶表示装置の断面構造を示す図である。
【符号の説明】
【００８８】
１，１０１，１０２…基板、３…透明電極、４…画素電極、１０３，１０４…電極、１０５…液晶層、６，１０６…反射層、１０８…密着層、９，１０９…保護層、１０…反射基板、１２，１４，１６…カラーフィルター、２０…対向基板、２５…液晶駆動用素子、２７…遮光層、５０…液晶装置、４００…光源、４２０…外光、１０００…携帯電話、１１００…時計、１２００…情報処理装置。
【図１】
2007133423.tif 000003
【図２】
2007133423.tif 000004
【図３】
2007133423.tif 000005
【図４】
2007133423.tif 000006
【図５】
2007133423.tif 000007
【図６】
2007133423.tif 000008
【図７】
2007133423.tif 000009
【図８】
2007133423.tif 000010
【図９】
2007133423.tif 000011
【図１０】
2007133423.tif 000012
【図１１】
2007133423.tif 000013
【図１２】
2007133423.tif 000014
【図１３】
2007133423.tif 000015
【図１４】
2007133423.tif 000016
【図１５】
2007133423.tif 000017
【図１６】
2007133423.tif 000018
【図１７】
2007133423.tif 000019
【図１８】
2007133423.tif 000020
【図１９】
2007133423.tif 000021